(57)【特許請求の範囲】
【請求項１】
コンロ本体の上面を覆う板金製の天板と、天板の上面を覆うガラス製の天板カバーと、天板及び天板カバーに開設したバーナ用開口を介して上方に露出するコンロバーナと、天板カバー上にコンロバーナを囲うようにして載置される、環状の五徳枠に複数の五徳爪を固定して成る五徳とを備えるガスコンロにおいて、
五徳枠に、五徳枠の内周縁から天板カバーのバーナ用開口と天板のバーナ用開口とを通して下方にのびる筒部と、筒部の下端から径方向内方に張出す汁受け部とが一体に形成され、筒部に、周方向の間隔を存して複数の通気孔が形成されることを特徴とするガスコンロ。
【請求項２】
前記筒部の前記各五徳爪に合致する周方向部分を含む箇所に前記各通気孔が形成されることを特徴とする請求項１記載のガスコンロ。
【発明の詳細な説明】
【技術分野】
【０００１】
本発明は、コンロ本体の上面を覆う板金製の天板と、天板の上面を覆うガラス製の天板カバーと、天板及び天板カバーに開設したバーナ用開口を通して上方に露出するコンロバーナとを備えるガスコンロに関する。
【背景技術】
【０００２】
従来、この種のガスコンロとして、特許文献１により、天板カバー上にコンロバーナを囲うようにして載置される、環状の五徳枠に複数の五徳爪を固定して成る五徳と、五徳の内側で下方にのびて径方向内方に張出す、五徳とは別体の汁受けとを備えるものが知られている。
【０００３】
ここで、ガラス製の天板カバーを設けるのは、清掃性を向上させると共に体裁を良好にするためである。然し、コンロバーナの燃焼中、五徳爪が火炎で炙られて、五徳爪を固定した五徳枠がかなり高温になり、五徳枠からの伝熱で天板カバーの過熱を生ずる不具合がある。
【先行技術文献】
【特許文献】
【０００４】
【特許文献１】特開２００６−３１３０４５号公報
【発明の概要】
【発明が解決しようとする課題】
【０００５】
本発明は、以上の点に鑑み、天板カバーの過熱を抑制できるようにしたガスコンロを提供することをその課題としている。
【課題を解決するための手段】
【０００６】
上記課題を解決するために、本発明は、コンロ本体の上面を覆う板金製の天板と、天板の上面を覆うガラス製の天板カバーと、天板及び天板カバーに開設したバーナ用開口を介して上方に露出するコンロバーナと、天板カバー上にコンロバーナを囲うようにして載置される、環状の五徳枠に複数の五徳爪を固定して成る五徳とを備えるガスコンロにおいて、五徳枠に、五徳枠の内周縁から天板カバーのバーナ用開口と天板のバーナ用開口とを通して下方にのびる筒部と、筒部の下端から径方向内方に張出す汁受け部とが一体に形成され、筒部に、周方向の間隔を存して複数の通気孔が形成されることを特徴とする。
【０００７】
本発明によれば、コンロバーナの燃焼中、コンロ本体内から通気孔を介してコンロバーナに二次空気が供給され、この二次空気により筒部を介して五徳枠が冷却される。そのため、五徳爪が火炎で炙られても、五徳枠は然程高温にならず、天板カバーの過熱を抑制できる。更に、汁受け部が筒部を介して五徳枠に一体化されるため、五徳と別体の汁受けが不要になり、部品点数を削減してコストダウンを図ることもできる。
【０００８】
また、本発明においては、筒部の各五徳爪に合致する周方向部分を含む箇所に各通気孔を形成することが望ましい。これによれば、五徳爪からの伝熱で最も高温になる五徳枠の部分を効果的に冷却でき、天板カバーの過熱を一層確実に抑制できる。
【図面の簡単な説明】
【０００９】
【図１】本発明の実施形態のガスコンロの斜視図。
【図２】図１のＩＩ−ＩＩ線で切断した切断正面図。
【図３】実施形態のガスコンロの五徳及びカバー固定板を分離した状態の斜視図。
【発明を実施するための形態】
【００１０】
図１、図２を参照して、本発明の実施形態のガスコンロは、コンロ本体１と、コンロ本体１の上面を覆うステンレス板等の板金製の天板２と、天板２の上面を覆うガラス製の天板カバー３と、天板２及び天板カバー３に開設したバーナ用開口２１，３１を介して上方に露出するコンロバーナ４と、天板カバー３上にコンロバーナ４を囲うようにして載置される五徳５とを備えている。
【００１１】
天板カバー３には、バーナ用開口３１の口縁部上面を覆うように保護パッキン３２が設けられている。また、図３に示す如く、保護パッキン３２の上面に重なる環状のカバー固定板３３を設けている。カバー固定板３３には、保護パッキン３２の径方向内方に下方にオフセットした状態で張出す内周張出し部３３１が設けられている。そして、内周張出し部３３１に形成した一対の固定孔３３２，３３２に挿通される図示省略したネジによりカバー固定板３３をコンロ本体１内に立設した一対のステー１１，１１の上端に締結することで天板カバー３を固定している。
【００１２】
五徳５は、保護パッキン３２及びカバー固定板３３を上方から覆う環状の五徳枠５１に複数の五徳爪５２を固定して成るものに構成されている。各五徳爪５２の下端には、図２に示す如く、五徳枠５１に形成したスリットに係合する係合部５２１が突設されている。そして、この係合部５２１がカバー固定板３３の上面に着座して、五徳５が天板カバー３上に支持される。また、各五徳爪５２の下端には、係合部５２１よりも内方に位置させて、下方に突出する突起部５２２が形成されている。この突起部５２２は、カバー固定板３３の内周張出し部３３１に形成した各位置決め孔３３３に係合し、五徳５が位相決めされる。
【００１３】
また、五徳枠５１には、五徳枠５１の内周縁から天板カバー３のバーナ用開口３１と天板２のバーナ用開口２１とを通して下方にのびる筒部５３と、筒部５３の下端から径方向内方に張出す汁受け部５４とが一体に形成されている。そのため、汁受けを別途用意する必要がなく、コストダウンを図ることができる。
【００１４】
ところで、コンロバーナ４の燃焼中は、五徳爪５２が火炎で炙られて、五徳爪５２を固定した五徳枠５１がかなり高温になり、五徳枠５１からの伝熱で保護パッキン３２及び天板カバー３の過熱を生じやすくなる。そこで、本実施形態では、五徳５の筒部５３に、周方向の間隔を存して複数の通気孔５３１を形成している。これによれば、コンロバーナ４の燃焼中、コンロ本体１内から通気孔５３１を介しコンロバーナ４に二次空気が供給され、この二次空気により筒部５３を介して五徳枠５１が冷却される。そのため、五徳爪５２が火炎で炙られても、五徳枠５１は然程高温にならず、保護パッキン３２及び天板カバー３の過熱を抑制できる。
【００１５】
尚、本実施形態において、各通気孔５３１は、筒部５３の各五徳爪５２に合致する周方向部分を含む箇所に形成されている。そのため、五徳爪５２からの伝熱で最も高温になる五徳枠５１の部分を効果的に冷却でき、保護パッキン３２及び天板カバー３の過熱を一層確実に抑制できる。
【００１６】
以上、本発明の実施形態について図面を参照して説明したが、本発明はこれに限定されない。例えば、上記実施形態では、五徳爪５２の下端の係合部５２１をカバー固定板３３の上面に着座させた状態で五徳５を天板カバー３上に載置しているが、五徳枠５１を天板カバー３の上面に着座させた状態で五徳５を天板カバー３上に載置することも可能である。
【符号の説明】
【００１７】
１…コンロ本体、２…天板、２１…天板のバーナ用開口、３…天板カバー、３１…天板カバーのバーナ用開口、４…コンロバーナ、５…五徳、５１…五徳枠、５２…五徳爪、５３…筒部、５３１…通気孔、５４…汁受け部。
【図１】
0006730098.tif 000002
【図２】
0006730098.tif 000003
【図３】
0006730098.tif 000004